(57)【要約】【課題】シャンクの先端側の閉塞部を変位可能に構成することにより、電極の交換時等における冷却水の漏洩を防止しながら、電極の効率的な冷却を可能とした抵抗溶接用電極のシャンクを提供する。【解決手段】内部に冷却水が流通する通路４，５を形成し、先端側が閉塞された抵抗溶接用電極のシャンクにおいて、前記先端側の閉塞部３を変位可能に形成し、該閉塞部を電極側に付勢することによって閉塞部の先端面７が電極２の取付孔８の奥端面９に密接するようにした抵抗溶接用電極のシャンク。【選択図】        図１
2004148397.tif 000002
【特許請求の範囲】
【請求項１】
内部に冷却水が流通する通路を形成し、先端側が閉塞された抵抗溶接用電極のシャンクにおいて、前記先端側の閉塞部を変位可能に形成し、該閉塞部を電極側に付勢することによって閉塞部の先端面が電極の取付孔の奥端面に密接するようにしたことを特徴とする抵抗溶接用電極のシャンク。
【請求項２】
前記閉塞部をピストンにより構成し、該ピストンの先端面の形状を電極の取付孔の奥端面の形状と略一致するように形成すると共に、該ピストンを突出方向に付勢する弾性体をシャンク内部に配置し、且つシャンクの先端部近傍内周に前記ピストンのシャンクからの飛び出しを防止するストッパを設けたことを特徴とする請求項１記載の抵抗溶接用電極のシャンク。
【請求項３】
前記閉塞部を熱伝導体により構成し、該熱伝導体の先端面の形状を電極の取付孔の奥端面の形状と略一致するように形成すると共に、該熱伝導体を突出方向に付勢する弾性体をシャンク内部に配置し、且つシャンクの先端と前記熱伝導体との間を蛇腹状の伸縮体によって囲ったことを特徴とする請求項１記載の抵抗溶接用電極のシャンク。
【請求項４】
前記閉塞部を撓み板により構成し、該撓み板の先端面の形状を電極の取付孔の奥端面の形状と略一致するように形成すると共に、該撓み板の中心部に逃げ孔を形成し、該逃げ孔を裏当て板によって覆ったことを特徴とする請求項１記載の抵抗溶接用電極のシャンク。
【発明の詳細な説明】
【０００１】
【発明の属する技術分野】
本発明は、抵抗溶接機におけるシャンクと電極との接続構成を改良した抵抗溶接用電極のシャンクに関するものである。
【０００２】
【従来の技術】
従来、内部に冷却水が流通する通路を形成し、先端側が閉塞された抵抗溶接用電極のシャンクに電極を被冠させ、電極の交換時等に冷却水の漏洩を防止するようにした抵抗溶接用電極のシャンクがある（例えば特許文献１参照）。
【０００３】
【特許文献１】
特許第２６６５５７７号公報
【０００４】
【発明が解決しようとする課題】
ところが、上記従来例のシャンクは、その先端側の閉塞部が剛体で構成されているため、該シャンクに電極を被冠させても、シャンクの先端面を電極の取付孔の奥端面に密着させることができずその空隙の分，熱伝達面積が少なく、充分な熱の伝達ができずに所望の電極の冷却ができない、という問題がある。
【０００５】
本発明は、従来の技術の有するこのような問題点に鑑みてなされたものであり、その目的とするところは、シャンクの先端側の閉塞部を変位可能に構成することにより、電極の交換時等における冷却水の漏洩を防止しながら、電極の効率的な冷却を可能とした抵抗溶接用電極のシャンクを提供しようとするものである。
【０００６】
【課題を解決するための手段】
上記目的を達成するために、本発明における抵抗溶接用電極のシャンクは、内部に冷却水が流通する通路を形成し、先端側が閉塞された抵抗溶接用電極のシャンクにおいて、前記先端側の閉塞部を変位可能に形成し、該閉塞部を電極側に付勢することによって閉塞部の先端面が電極の取付孔の奥端面に密接するようにしたことを特徴とするものである。
【０００７】
また、前記閉塞部をピストンにより構成し、該ピストンの先端面の形状を電極の取付孔の奥端面の形状と略一致するように形成すると共に、該ピストンを突出方向に付勢する弾性体をシャンク内部に配置し、且つシャンクの先端部近傍内周に前記ピストンのシャンクからの飛び出しを防止するストッパを設けたことを特徴とするものである。
【０００８】
また、前記閉塞部を熱伝導体により構成し、該熱伝導体の先端面の形状を電極の取付孔の奥端面の形状と略一致するように形成すると共に、該熱伝導体を突出方向に付勢する弾性体をシャンク内部に配置し、且つシャンクの先端と前記熱伝導体との間を蛇腹状の伸縮体によって囲ったことを特徴とするものである。
【０００９】
また、前記閉塞部を撓み板により構成し、該撓み板の先端面の形状を電極の取付孔の奥端面の形状と略一致するように形成すると共に、該撓み板の中心部に逃げ孔を形成し、該逃げ孔を裏当て板によって覆ったことを特徴とするものである。
【００１０】
【発明の実施の態様】
図１を参照してこの発明の総括的な構成について説明をする。
図において、１は先端に電極２が被冠されるシャンクであり、該シャンク１の先端側は閉塞されて閉塞部３を構成している。そして、該シャンク１には冷却水の供給流路４と排水流路５が形成されている。
【００１１】
そして、前記閉塞部３はシャンク１の傾斜胴部６に対して変位可能に形成されており、また、該閉塞部３は電極２側に付勢されるようになっている。
【００１２】
そして、前記閉塞部３をシャンク１の傾斜胴部６に対して変位可能にする手段としては、例えば閉塞部３をピストンのような摺動体で構成し該摺動体をシャンク１の内周を摺動させる手段、閉塞部３をシャンク１の先端側に弾性的に接続する手段、或は閉塞部３を撓み板とする手段等が採用され得るものである。
【００１３】
また、閉塞部３を電極２側に付勢するには、閉塞部３を押圧する弾性体を用いる手段、冷却水の供給圧力を利用する手段、或は電極加圧力を利用する手段等が採用され得るものである。
【００１４】
そして、前記閉塞部３の先端面７の形状は前記電極２に形成された取付孔８の奥端面９の形状と略一致するように形成されている。
【００１５】
以上のような構成からなる抵抗溶接用電極のシャンクにおいて、シャンク１の先端側は閉塞されて閉塞部３を構成していることにより、電極２の交換時等における冷却水の漏洩を防止しながら、電極２をシャンクに取り付けた際には、閉塞部３の先端面７は電極２の取付孔８の奥端面９に密着状態となり、電極２からシャンク１側への熱伝達面積及び熱伝達係数が確実に増大されて、電極の効率的な冷却が可能となるものである。
【００１６】
図２，図３は閉塞部３をピストンのような摺動体で構成した実施例であり、この実施例では、シャンク１の先端側の閉塞部はピストン１１によって閉塞されており、該ピストン１１の先端面１２の形状は電極２に形成された取付孔８の奥端面９の形状と略一致するように形成されている。
【００１７】
そして、このピストン１１は、シャンク１内に配置されたスプリングのような弾性体１３によってピストンの突出方向に付勢されている。また、前記シャンク１の先端部近傍内周にはストッパ１４が設けられており、このストッパ１４によってピストン１１がシャンク１から飛び出すのが防止されるようになっている。
【００１８】
なお、１５はシャンク１の内周とピストン１１の外周との間に配設された水漏れ防止用のシ―ルである。また、４は冷却水の供給流路、５は排水流路である。
【００１９】
以上のような構成からなる抵抗溶接用電極のシャンク１において、シャンク１の先端部の閉塞をピストン１１によって行い、該ピストン１１が弾性体１３によって突出方向に付勢され、しかもピストン１１の先端面１２の形状が電極２に形成された取付孔８の奥端面９の形状と略一致するように形成されているため、電極２をシャンク１に取り付けた際には、ピストン１１の先端面１２は電極２の取付孔８の奥端面９に密着状態となり、電極２からシャンク１側への熱伝達面積が確実に増大される。
【００２０】
また、電極２をシャンク１から取り外した場合には、前記弾性体１３による付勢力でピストン１１がシャンク１から飛び出そうとするが、これをストッパ１４が防止してピストン１１はシャンク１の先端部にとどまるので、シャンク１内の冷却水の漏洩が防止される。
【００２１】
図４は閉塞部３を銅板または合成樹脂板のような熱伝導体で構成した実施例であり、この実施例では、シャンク１の先端側の閉塞部は熱伝導体２１によって閉塞されており、該熱伝導体２１の先端面２２の形状は電極２に形成された取付孔８の奥端面９の形状と略一致するように形成されている。なお、４は冷却水の供給流路、５は排水流路である。
【００２２】
そして、この熱伝導体２１は、シャンク１内に配置された弾性体１３によって熱伝導体２１の突出方向に付勢されている。また、前記シャンク１の先端と前記熱伝導体２１との間は蛇腹状の伸縮体２３によって囲まれており、これによって熱伝導体２１の移動を可能とすると共にシャンク１内の冷却水の漏洩を防止している。
【００２３】
なお、熱伝導体２１を合成樹脂板で構成する場合には、前記蛇腹状の伸縮体２３を該熱伝導体２１と一体成形によって構成することもできるものである。
【００２４】
図５，図６，図７は閉塞部３を撓み板により構成した実施例であり、この実施例では、シャンク１の先端側の閉塞部は薄壁の撓み板３１によって閉塞されており、該撓み板３１はシャンク１の傾斜胴部６と一体成形されており、該撓み板３１の先端面３２の形状は電極２に形成された取付孔８の奥端面９の形状と略一致するように形成されている。なお、撓み板３１とシャンク１の胴部６とは別体に構成しこれらをロー付けにより一体化してもよい。また，４は冷却水の供給流路、５は排水流路である。
【００２５】
そして、この撓み板３１は、その中心部に図６に示すような円孔３３とその周囲に形成した切り込み３４とからなる逃げ孔３５又は図７に示すような切り込みのみからなる逃げ孔３５が形成されて、撓み板３１の変位を容易に可能としている。また、前記逃げ孔３５は例えば弾性体からなる裏当て板３６によって覆われていてシャンク１内の冷却水の漏洩を防止している。
【００２６】
この実施例の場合、第１回目の電極２の加圧力によって、電極２の取付孔８の奥端面９は強く撓み板３１の先端面３２を圧迫した状態で、電極２はシャント１に保持されるので、撓み板３１の先端面３２は電極２の取付孔８の奥端面９に密着状態に維持される。
【００２７】
【発明の効果】
本発明においては、シャンクの先端側は閉塞されて閉塞部を構成していることにより、電極の交換時等における冷却水の漏洩を防止しながら、電極をシャンクに取り付けた際には、閉塞部の先端面は電極の取付孔の奥端面に密着状態となり、電極からシャンク側への熱伝達面積及び熱伝達係数が確実に増大されて、電極の効率的な冷却が可能とした抵抗溶接用電極のシャンクとなる。
【００２８】
そして、閉塞部をピストンにより構成した場合には、閉塞部の移動ストロ―クを充分大きくとることができ、電極によりその取付孔の懐具合いに多少の相違があってもそれに対処して閉塞部と電極の取付孔の奥端面との充分な密着が可能となるものである。
【００２９】
閉塞部を熱伝導体により構成した場合には、簡単な構成によりコスト安も望めるものである。
【００３０】
閉塞部を撓み板により構成した場合には、簡単な構成によりより良好な冷却効果も望めるものである。
【図面の簡単な説明】
【図１】本発明に係る抵抗溶接用電極のシャンクの縦断面説明図である。
【図２】閉塞部をピストンで構成した実施例の縦断面説明図である。
【図３】図２のＡ―Ａ断面説明図である。
【図４】閉塞部を熱伝導体で構成した実施例の縦断面説明図である。
【図５】閉塞部を撓み板で構成した実施例の縦断面説明図である。
【図６】撓み板の実施例の平面説明図である。
【図７】撓み板の他の実施例の平面説明図である。
【符号の説明】
１                    シャンク
２                    電極
３                    閉塞部
４，５                冷却水流路
７                    閉塞部の先端面
９                    電極の取付孔奥端面
１１                  ピストン
１２                  ピストンの先端面
１３                  弾性体
１４                  ストッパ
２１                  熱伝導体
２２                  熱伝導体の先端面
２３                  蛇腹状の伸縮体
３１                  撓み板
３２                  撓み板の先端面
３５                  逃げ孔
３６                  裏当て板
【図１】
2004148397.tif 000003
【図２】
2004148397.tif 000004
【図３】
2004148397.tif 000005
【図４】
2004148397.tif 000006
【図５】
2004148397.tif 000007
【図６】
2004148397.tif 000008
【図７】
2004148397.tif 000009